(57)【特許請求の範囲】
【請求項１】
乳頭保護具の外面を形成する硬質のシェル状でなる外側部材と、該外側部材より柔軟な変形し易い材料でなる内側部材とを備え、内側に内部空間を形成する乳頭保護具であって、
前記内側部材が、
装着状態において、弾性的に変形して装着者の乳頭部の周囲に沿って隙間なく面状に密接できる変形当接部を有しているとともに、前記内部空間と外部とを連絡する開口を含む母乳排出手段を備えており、
さらに、前記外側部材には、前記開口と連通する貫通孔が設けられていて、
前記内側部材の前記母乳排出手段が隙間のない壁部を有しており、さらに、該壁部に続いて、内側が内方へ湾曲する湾曲部と、該湾曲部に続いて外方に拡がる前記変形当接部とを有している
ことを特徴とする乳頭保護具。
【請求項２】
前記外側部材が、前記内部空間に収容された前記乳頭部の周囲を包囲する硬い支持部を備えるとともに、周縁部が使用者の乳房の外面の曲線に沿った形状となる曲面とされていることを特徴とする請求項１に記載の乳頭保護具。
【請求項３】
前記内側部材の前記隙間のない壁部が、前記外側部材に向かって徐々に拡径するテーパ形状とされていることを特徴とする請求項１または２に記載の乳頭保護具。
【請求項４】
前記内側部材が、前記変形当接部の外側で外方に湾曲して、前記外側部材の外縁を覆う当接保護部とを有していることを特徴とする請求項１ないし３のいずれかに記載の乳頭保護具。
【発明の詳細な説明】
【技術分野】
【０００１】
本発明は、女性の乳頭部を覆い保護するための乳頭保護具の改良に関するものである。
【背景技術】
【０００２】
例えば、授乳期にある母親等では、授乳時に乳児に噛まれるなどして、乳頭部に傷がついてしまったり、荒れてしまうことがある。
乳頭部にそのようなトラブルがあると、授乳時に、痛みによるストレスで母乳の出が悪くなり、そのため、乳児がより多くの母乳を吸い出そうとして、さらに強く吸うということを繰り返したり、授乳時間が長時間となってしまうことにより、乳頭部の傷をさらに悪化させる。
そこで、授乳の時以外は、当該乳頭部を覆い保護するためのものとして、乳頭保護具が用いられている。
【０００３】
このような用途の乳頭保護具としては、例えば、図６に示す構成のものがある（特許文献１参照）。
図において、乳頭保護具１は、硬いカップのシェル２と、このシェル２の底部を塞ぐようにされた弾性部材３とを備えている。弾性部材３には、中央に開口６が形成されている。シェル２には多数の空気孔が形成されている（図示せず）。
また、弾性部材３の開口６の周囲には、花弁状に突起４が形成されている。
【０００４】
このような乳頭保護具１は、図７に示すように、使用者の乳房７の前面に弾性部材３を当てて、その開口６から乳頭部５を挿入し、該乳頭部５を弾性部材３とシェル２により仕切られる内部空間Ｓ１に収容することで、傷ついた乳頭部５に接触するものがないようにし、該乳頭部５に外部から不要な刺激が加えられないようにするものである。
【０００５】
【特許文献１】ＷＯ  ０１／４７４５２
【発明の開示】
【発明が解決しようとする課題】
【０００６】
しかしながら、このような乳頭保護具１には次のような問題がある。
この乳頭保護具１は、傷ついた乳頭部５を比較的硬いシェル２の内側に収容して、これを保護するものである。
そして、乳頭保護具１を装着している時に、使用者の乳房７の前面には、弾性部材３の表面に形成された突起４が当たり、マッサージ効果を発揮するようにされている。
ところが、使用者の乳房７の前面には、弾性部材３の表面が密着せずに突起４が当接するようにしたため、内部空間Ｓ１に使用者の乳頭部５から分泌された母乳が溜まっていると、弾性部材３と突起４とがつくる隙間から母乳が漏れて、着衣を汚すなどの問題がある。
【０００７】
そこで、このような突起４を省略することも考えられる。その場合には隙間が生じることなく、母乳の漏れが生じないが、弾性部材３と乳房７が密着することにより、ムレ等の不快な装着感が生じやすい。
さらに、母乳が外に排出されないと、内部空間Ｓ１に溜まる。
ところが、内部空間Ｓ１に母乳が溜まるとその重量により図示しない下着の下で、乳頭保護具１の装着状態がずれてしまう。
また、内部空間Ｓ１に溜まった母乳のせいで、傷ついた乳頭部５が常に湿った状態となり、傷が膿んだりして、さらに乳頭部のトラブルを悪化させることもある。
【０００８】
本発明は、以上のような欠点を解消するためになされたものであり、乳頭部を収容する内部空間から母乳が漏れて着衣を汚すことを防止し、清潔かつ快適に使用することができる乳頭保護具を提供することを目的としている。
【課題を解決するための手段】
【０００９】
本発明は、乳頭保護具の外面を形成する硬質のシェル状でなる外側部材と、該外側部材より柔軟な変形し易い材料でなる内側部材とを備え、内側に内部空間を形成する乳頭保護具であって、前記内側部材が、装着状態において、弾性的に変形して装着者の乳頭部の周囲に沿って隙間なく面状に密接できる変形当接部を有しているとともに、前記内部空間と外部とを連絡する開口を含む母乳排出手段を備えており、さらに、前記外側部材には、前記開口と連通する貫通孔が設けられていて、前記内側部材の前記母乳排出手段が隙間のない壁部を有しており、さらに、該壁部に続いて、内側が内方へ湾曲する湾曲部と、該湾曲部に続いて外方に拡がる前記変形当接部とを有していることを特徴とする。
上記構成によれば、硬い外側部材が前記内部空間に収容される使用者の乳頭部を覆って確実に保護する。
この際に、使用者の乳房前面に当接する変形当接部は、当接にあたり、変形して、乳頭部の周囲に沿って隙間なく密接することにより、前記内部空間からの乳汁の漏れを防止することができ、それにより着衣の汚れなどを生じることがない。
しかも、該変形当接部は（乳房前面に対して）面状に密接できるので、線状に接触する場合等に比して、接触面積が大きく、当接の刺激を低減し、密閉機能を確実にすることができる。
そして、内部空間内の母乳は、内側部材の開口を含む母乳排出手段と、該開口と連通して外側部材に設けられた貫通孔を介して外部に導かれるので、適宜母乳パッド等を使用することにより吸収させることができる。
ここで、母乳は、乳頭保護具を装着している使用者の乳頭部から分泌され、前記内部空間に保持されるが、内側部材には前記開口を含む母乳排出手段が設けられているので、該母乳は内部空間に滞留することなく、母乳排出手段を介して外側部材および該外側部材の貫通孔から外部に排出される。
また、内側部材の前記装着部が、壁部およびこれと一体の内方へ湾曲する湾曲部を有しているので、湾曲部の湾曲変形機能によって、変形当接部が使用者の乳房前面に適切に変形して当接することができる。
【００１１】
好ましくは、前記外側部材が、前記内部空間に収容された前記乳頭部の周囲を包囲する硬い支持部を備えるとともに、周縁部が使用者の乳房の外面の曲線に沿った形状となる曲面とされていることを特徴とする。
上記構成によれば、前記外側部材が、前記乳頭部の周囲を包囲する硬い支持部を備えているので、乳頭部は、硬い支持部により周囲が囲まれているから、該乳頭部に外側部材の一部が押しつけられることがなく、非接触に保護されるので、使用者の乳頭部に痛みや不快な刺激を与えることがない。
しかも、外側部材の周縁部は、使用者の乳房の外面の曲線に沿った形状となる曲面とされているので、装着者の乳房前面へのフィット性が向上する。
【００１３】
好ましくは、前記内側部材の前記隙間のない壁部が、前記外側部材に向かって徐々に拡径するテーパ形状とされていることを特徴とする。
上記構成によれば、前記隙間のない壁部が、前記外側部材に向かって徐々に拡径するテーパ形状とされているので、該壁部により画成される前記内部空間に溜まった母乳が部分的に滞留することを効果的に防止し、外部への排出を容易にする。
【００１４】
好ましくは、前記内側部材が、前記変形当接部の外側で外方に湾曲して、前記外側部材の外縁を覆う当接保護部を有していることを特徴とする。
上記構成によれば、変形当接部の外側で外方に湾曲して、前記外側部材の外縁を覆う当接保護部を有しているから、外縁部が乳房前面に食い込むことがなく、適切な保護を行うことができる。
【発明の効果】
【００１５】
以上説明したように、本発明によれば、乳頭部を収容する内部空間から母乳が漏れて着衣を汚すことを防止し、清潔かつ快適に使用することができる乳頭保護具を提供することができる。
【発明を実施するための最良の形態】
【００１６】
以下、本発明の好適な実施の形態について添付図面を参照して詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１７】
図１は本発明の第１の実施形態に係る乳頭保護具を示す概略分解斜視図であり、図２は乳頭保護具の概略分解平面図（上から見た図）、図３は乳頭保護具の分解状態で示した概略側断面図、図４は、使用者の乳房前面に当接させた状態の概略縦断面図である。
これらの図を参照しながら、乳頭保護具の実施形態について詳しく説明する。
乳頭保護具２０は、全体としてほぼシェル状、もしくは、ほぼドーム形態あるいは半球状の硬質プラスチックによる成形品であるガード部としての外側部材３０と、その内側に（図１では「後側に」）装着される胸当て部としての柔軟な内側部材４０とを組み合わせて形成されている。
これら外側部材３０と内側部材４０の外形は、図１からも理解されるように、好ましくは、例えば、正面から見るとほぼ円形に近いハート形状とされている。このため外側部材３０と内側部材４０は、上下の方向性がある形態、つまり、装着における上下方向が予め決められている形態とされている。
【００１８】
外側部材３０は、硬質プラスチックの成形品であり、たとえば、ＰＰ（ポリプロピレン）により形成されている。外側部材３０の材料は、勿論ポリプロピレンに限らない。成形可能で、必要な硬度をもった材料であればなんでもよい。
外側部材３０は、ほぼドーム状もしくは半球状の形態であり、内部が凹状とされて、空間が形成されるようになっている（図４の内部空間Ｓ２参照）。
外側部材３０には、その中央付近に内外を貫通する貫通孔が形成されている。貫通孔は好ましくは複数個形成されおり、図示の場合、符号３１ａ，３１ｂ，３１ｃで示すように形成されている。複数個の貫通孔のうち、特に、一部の貫通孔３１ａは、図３や図４で示されているように、縦方向（高さ方向）の仮想の中心線Ｃ１よりも下に配置されている。
【００１９】
外側部材３０の上記貫通孔３１ａ，３１ｂ，３１ｃが形成されている中央部の領域の外側の領域には、左右対称の形状でなる大きなスリットもしくは開口３２，３２がそれぞれ形成されている。開口３２，３２は、少なくとも２つ合わせると、貫通孔３１ａ，３１ｂ，３１ｃの合計開口面積よりも大きな開口面積を備えており、外側部材３０の中央部をさけて、上部の円弧が大きく、下部で先細りになるような、勾玉のような形状である。
このように外側部材３０の材料を削除して大きな開口３２，３２を形成することにより、その分重量を削減することができる。これにより、乳頭保護具２０を装着した状態においては、全体の慣性を小さくして装着位置のずれが生じることを有効に防止することができる。また、変形当接部が密着しても、開口３２，３２により通気が確保できるので、密着することにより生じるムレを防止することができる。
【００２０】
さらに、図３に示されているように、少なくとも上記貫通孔３１ａ，３１ｂ，３１ｃよりも僅かに外側の位置において、外側部材３０の内側（裏側）には、図３では右方に向かって延出された筒状部分である支持部３３が形成されている。支持部３３は、外側部材３０と一体で形成された硬質のものであり、図３に示す外側部材３０の縦方向の仮想の中心線Ｃ１と同じ方向に起立する壁状のリブである。
この実施形態では、支持部３３であるリブは、上記貫通孔３１ａ，３１ｂ，３１ｃが形成されている中央部の領域の外側の領域を囲むように隙間の無い壁状に形成されている。これにより、支持部３３の内側に空間を形成することができ、この空間は硬い支持部３３により画成されるため変形しない。
【００２１】
外側部材３０の上端位置には、例えば凹所でなる位置決め部３４が形成されている。この凹所３４は、後述するように、内側部材４０を組み合わせる際に、正しい位置に装着するように案内するものである。
また、外側部材３０の該周縁部３５は、図２、図４に示すように使用者の乳房Ｔの前面に乳頭保護具２０を配置することを考慮して、該乳房Ｔの外面の曲線Ｒ１およびＲ２に沿った形状となる平面または曲面とされている。
つまり、周縁部３５は、斜めに該乳房Ｔの外面の曲線Ｒ１およびＲ２に沿って、細幅の平面または曲面とされている。
ここで、図２のＲ１は、乳房Ｔが前方へ突出する形状であることに起因して、上から見た場合の曲面であり、図３のＲ２は横から見た場合の曲面を表している。
外側部材の周縁部３５が所定の幅の面積を備えることで、内側部材を介して使用者の乳房Ｔ前面に当接した際に、後述する変形当接部の機能と相俟って、該変形当接部を面接触させることができる。
【００２２】
次に、内側部材４０について説明する。
乳頭保護具２０においては、硬質の外側部材３０が変形することなく、内部空間に収容した乳頭部に外部のなんらかの力が作用したり、外部にあるものが直接触れるのを防ぐ他、変形により、乳頭保護具２０の内面自体が傷ついた乳頭部に触れることを防止する機能を担うものである。
これに対して、内側部材４０は、乳頭保護具２０を装着した時に、硬質の外側部材３０が直接使用者の肌に当たり、不快な刺激を与えることがないように緩衝の役割を果たすものである。
このような機能を発揮するために、内側部材４０は、全体が軟質の材料により形成されている。この軟質材料としては、例えばシリコーンを用いることができる。内側部材４０を形成するための材料の硬度は、たとえば、ＪＩＳ（Ｋ６２５３）形式のデュロメータにより５０である。材料の硬度は材料厚みなどにより変化するが、本実施形態について以下で説明する機能・作用を発揮させ、保形性や、成形性等の点を考慮すると、硬度は３５ないし６５程度が好ましい。
なお、内側部材４０の材料としては、外側部材３０よりも柔らかく、ある程度のゴム弾性を備えて変形しやすく、成形性に優れるものならシリコーン以外のものを使用することができる。
【００２３】
内側部材４０の外形は外側部材３０に近似し、外形どうしは略重なる形態である。
すなわち、内側部材４０は、全体として円形に近いハート形状であり、中央部に筒状開口４１を備えている。筒状開口４１は貫通孔である。この筒状開口４１の内側が内部空間Ｓ２になる。
筒状開口４１が形成されている中央部の領域の外側の領域には、左右対称の形状でなる大きなスリットもしくは開口４２，４２がそれぞれ形成されている。開口４２，４２は、少なくとも２つ合わせると、筒状開口４１の開口面積よりも大きな開口面積を備えており、外側部材３０の中央部をさけて、上部の円弧が大きく、下部で先細りになるような、勾玉のような形状とされている。
このように内側部材４０においても、その材料を削除して大きな開口４２，４２を形成することにより、その分重量を削減することができる。これにより、乳頭保護具２０を装着した状態においては、全体の慣性を小さくして装着位置のずれが生じることを有効に防止することができる。また、変形当接部が密着しても、開口３２，３２により通気が確保できるので、密着することにより生じるムレを防止することができる。
【００２４】
図３および図４において、内側部材４０には、母乳排出手段として、例えば筒状に形成されており、中心部に開口を備えた筒状開口４１が設けられている。すなわち、筒状開口４１は、その開口周縁が、該開口周縁から延出する低い筒状部分とされており、この筒状部分は、使用者の乳頭部Ｎの周囲を包囲する包囲部である。さらに、この実施形態では、包囲部は、外側部材３０の支持部３３を内側部材４０に装着する際の装着部４３とされている。
ここで、母乳排出手段は、好ましくは、図示の筒状開口４１の形態とするが、これに限らず、例えば完全な筒ではなくてもよい。例えば、筒を半割りした溝状もしくは樋状の母乳流路として形成することができる。
この場合、包囲部としての筒状開口４１は、乳頭部Ｎをその周囲に沿って完全に包囲するわけではないが、少なくとも下部の半周程度を包囲したり、あるいは、断続的に周囲を囲む形態とすることができる。
装着部４３は、外側部材３０の壁状のリブである支持部３３の内側に嵌入されることにより取り付けられ、該装着部４３の外側には、支持部３３に嵌入されたときに、該支持部３３の先端に当接する横向きの段部である嵌入段部４３ａが設けられている。
すなわち、装着部４３は、装着状態において、支持部３３の先端を覆うとともに、装着部４３の内側である筒状開口４１は、鎖線ｔ１で示すように前方に向かって開くようにされたテーパ状とされている。
【００２５】
内側部材４０の装着部４３には、湾曲部４４が連設されて、該湾曲部４４には、さらに外周方向へ向かって拡がる変形当接部４５が連設されている。
湾曲部４４は、装着部４３の基端部である内側部分が、内方へ湾曲する形状であり、該湾曲部４４の終端部は図２、図３の曲線Ｒ１およびＲ２とほぼ同様の曲面となるような曲面、すなわち、図２の下方および、図３の左方に僅かに凸となる曲面とされて、上記変形当接部４５となっている。
さらに、変形当接部４５の外縁部は、外方に湾曲して、前記外側部材３０の外縁を覆う当接保護部４６とされている。
【００２６】
また、内側部材４０の外縁部は図３から理解されるように、斜め前方に開口する溝を形成した取付け部４７となっている。取付け部４７は、その溝内に外側部材３０の外縁部を嵌入したり、離脱させたりすることで、外側部材３０に対して内側部材４０を容易に着脱させることができるようになっている。
しかも、内側部材４０の上端位置では、例えば前方へ突出する係止片でなる係止部４７ａが形成されている。この係止部４７ａを外側部材３０の位置決め部３４に挿入することで、外側部材３０と内側部材４０を正しく位置合わせして組み合わせ状態とすることができる。
【００２７】
本実施形態は以上のように構成されており、以下のように使用することができる。
図５は、乳頭保護具２０を使用者の乳房Ｔの前面に配置して、その外側に母乳パッドＢを当てて、図示しないブラジャーなどの下着で保持する様子を示している。
本実施形態の乳頭保護具２０では、外側部材３０が硬質の材料で形成されているから、内部空間Ｓ２を覆って該内部空間に収容される（装着者の）乳頭部Ｎを外力から確実に保護することができる。
【００２８】
ここで、内部空間Ｓ２に収容されている乳頭部Ｎが傷ついている場合に、乳頭保護具２０の外面が弾性変形するなどして、内部空間Ｓ２が潰れて減少すると、乳頭保護具２０の内側（内面）が、該乳頭部Ｎに触れてしまい、不要な刺激を与え、痛みなどを与えてしまう。
しかしながら、この実施形態では、外側部材３０が乳頭部Ｎの周囲を包囲する壁状の硬い支持部３３を備えているので、内部空間Ｓ２が変形することなく、乳頭部Ｎは、硬い支持部３３により周囲が囲まれて保護される。このため、乳頭部Ｎに外側部材３０の一部が押しつけられることがなく、常に非接触に保護されるので、使用者の乳頭部Ｎに痛みや不快な刺激を与えることがない。
なお、外側部材３０の硬い支持部３３の代りに、内側部材４０から筒状部分が延出されて内部空間Ｓ２を形成するようにしてもよく、これによっても、乳頭部Ｎを保護することができる。
【００２９】
また、硬い支持部３３の先端部には、柔軟な内側部材４０の装着部４３が覆うようにされているので、この硬い支持部３３が使用者の乳房Ｔに当たり、痛み等の不快な刺激を与えることがない。
そして、内側部材４０はさらに、乳頭部Ｎの周囲に沿って隙間なく面状に密接できる変形当接部４５を有している。つまり、内側部材４０において、使用者の乳房Ｔの前面に当接する変形当接部４５は、当接にあたり、変形して、乳頭部Ｎの周囲に沿って隙間なく密接することにより、内部空間Ｓ２からの乳汁が外に漏れるのを防止することができる。しかも該変形当接部４５は（乳房Ｔの前面に対して）面状に密接できるので、線状に接触する場合等に比して、接触面積が大きく、当接の刺激を低減し、密閉機能を確実にすることができる。
なお、乳頭部Ｎから分泌された乳汁は、内部空間Ｓ２から筒状開口４１を通り、これと連通した外側部材３０の貫通孔３１ａ，３１ｂ，３１ｃから外に導かれて、母乳パッドＢに吸収されることになる。
【００３０】
また、内側部材４０の装着部４３が、隙間のない壁部およびこれと一体の内方へ湾曲する湾曲部４４を有している。このため、該湾曲部４４の湾曲変形機能によって、変形当接部４５が使用者の乳房Ｔの前面に適切に変形して当接することができる。
しかも、該変形当接部４５の外側で外方に湾曲して、前記外側部材３０の外縁を覆う当接保護部４６を有しているから、外縁部が乳房Ｔの前面に食い込むことがなく、不快な刺激を与えることなく、適切な保護を行うことができる。
【００３１】
また、装着部４３である隙間のない壁部が、図３の符号ｔ１に示すように、外側部材３０に向かって徐々に拡径するテーパ形状とされている。このため、該壁部により画成される内部空間Ｓ２に溜まった母乳が部分的に滞留することを効果的に防止し、溜まった母乳の外部への排出を容易にする。
これにより、母乳は内部空間Ｓ２から乳房Ｔ側に漏れて着衣を汚す心配はなく、母乳パッドＢに適切に吸収される。
また、このことにより、傷ついた乳頭部Ｎが滞留した母乳に浸されることなく、乾燥されるので、傷が治癒し易く、雑菌の繁殖も抑制される。
さらに、外側部材３０の複数個の貫通孔のうち、特に、一部の貫通孔３１ａは、図３や図４で示されているように、縦方向（高さ方向）の仮想の中心線Ｃ１よりも下に配置されている。このため、母乳が内部空間Ｓ２の下部に滞留することなく、全ての母乳を外部に排出することが容易となる。
【００３２】
さらに、内側部材４０には、筒状開口４１の左右の外側に大きなスリットもしくは開口４２，４２を形成している。また、外側部材３０には、貫通孔３１ａ，３１ｂ，３１ｃの左右の外側の箇所に、これら貫通孔の合計開口面積よりも大きな面積の開口３２，３２を設けているので、外側部材３０と内側部材４０の組み合わせでなる乳頭保護具２０において、２以上の部材の用いても、これら大きな開口を形成した分、重量が低減されるので、全体が軽くなる。これにより、乳頭保護具２０を装着した状態において、位置ずれを生じにくく、装着状態を良好に保持できる。
【００３３】
図６および図７は本発明の第２の実施形態を示しており、図６はその分解側断面図、図７はその装着状態（使用状態）を示す図である。
これらの図において、第１の実施形態と共通する構成には同一の符号を付して重複する説明は省略し、以下、相違点を中心に説明する。
この実施形態では、外側部材３０−１の筒状部分である支持部が形成されておらず、内側部材４０−１にのみ筒状部分４３−１が形成されている。この筒状部分４３−１は、使用者の乳頭部の周囲を包囲する包囲部であり、肉厚の壁状であって、湾曲部４４とともに十分な高さ（長さ）Ｌ１を備えている。
また、内側部材４０−１には、母乳排出手段として、例えば筒状に形成されており、中心部に開口を備えた筒状開口４１が設けられている点は、第１に実施形態と同じである。
つまり、好ましくは、図７に示されているように、使用者の乳頭部の平均的な高さ（長）Ｌ２と少なくとも同等かそれよりも大きくなるようにされている。筒状部分４３−１は、好ましくは、外側部材３０−１の内面と当接する構成である。
好ましくはこのＬ１の寸法は５ｍｍないし２０ｍｍ程度である。
【００３４】
また、好ましくは、外側部材３０−１には、図６に示す受容部としての溝部３６が形成されている。つまり、外側部材３０−１の内側において、内側部材４０−１と、図７に示すように組み合わせた際に、該内側部材４０−１から延びる包囲部としての筒状部分４３−１の先端部４３ｂが当接する位置に、これを受容するための部分が形成され、受容部の形態は、例えば、環状に形成された円環溝である溝部３６とされている。
【００３５】
本実施形態によれば、内側部材４０−１から延びる筒状部分４３−１が使用者の乳頭部Ｎを囲んで保護するので、該乳頭部Ｎに外側部材３０−１の一部が押しつけられることがなく、非接触状態を保持できる（図７参照）。
しかも、この筒状部分４３−１が当接している外側部材３０−１により該筒状部分４３−１が支持されるので、該筒状部分４３−１により形成される内部空間Ｓ２の容積が常に変化せず、使用者の乳頭部を適切に保護できる。しかも変形当接部４５が使用者の乳房Ｔの前面に適切に押し付けられるから、弾性的な接触を確実に実現できる。
さらに、外側部材３０−１が受容部としての例えば溝部３６を備えていることにより、筒状部分４３−１は外側部材３０−１の内面の所定位置に正しく位置決めされて保持されるから、内部空間Ｓ２の形成が一層確実である。
【００３６】
ところで本発明は上記実施の形態に限定されるものではない。
本実施形態では、内部空間を形成するための筒状部分は、外側部材３０の支持部３３と内側部材４０の装着部４３として、それぞれに形成しているが、外側部材か内側部材のいずれか一方にだけ形成するようにしてもよい。
したがって、第２の実施形態においても説明したように、内部空間を形成するための大きな開口は、外側部材３０と内側部材４０のどちらかに形成されるようにしてもよい。外側部材だけに筒状部分を形成した場合には、その筒状部分の先端部は、内側部材で十分に覆うようにして、使用者の乳房前面への当接による刺激を極力低減することが好ましい。
乳頭保護具２０の外形はハート型でなくても花びらの形態、幾何学形状など種々の形状を採用することができるが、好ましくは上下の方向性があるデザインとすると、母乳パッドＢが同様に上下の方向性がある場合などに、誤りなく組み合わせて装着できて便利である。
内側部材と外側部材は上記説明のように別に成形された２部材ではなく、異なる種類の材料を組み合わせて用いた二色成形品や多色成形品としてもよい。
また、上述の実施形態の個別の構成は、必要により省略したり、説明しない他の構成と組み合わせてもよい。
【図面の簡単な説明】
【００３７】
【図１】本発明の第１の実施形態に係る乳頭保護具の概略分解斜視図。
【図２】図１の乳頭保護具の概略分解平面図。
【図３】図１の乳頭保護具の概略分解側断面図。
【図４】図１の乳頭保護具を使用者が装着した状態を示す概略縦断面図。
【図５】図１の乳頭保護具の使用状態を示す概略側断面図。
【図６】本発明の第２の実施形態に係る乳頭保護具の概略分解側断面図。
【図７】図６の乳頭保護具を使用者が装着した状態を示す概略縦断面図。
【図８】従来の乳頭保護具の一例を示す概略断面図。
【図９】図８の乳頭保護具の使用状態を示す概略断面図。
【符号の説明】
【００３８】
２０・・・乳頭保護具、３０・・・外側部材、３１ａ、３１ｂ、３１ｃ・・・貫通孔、３２・・・開口、３３・・・筒状部分（支持部）、３５・・・周縁部、４０・・・内側部材、４１・・・母乳排出手段（筒状開口）、４２・・・開口、４３・・・筒状部分（包囲部、装着部）、４４・・・湾曲部、４５・・・変形当接部、４６・・・当接保護部、４７・・・取付け部、Ｎ・・・乳頭部、Ｔ・・・乳房
【図１】
0005459984.tif 000002
【図２】
0005459984.tif 000003
【図３】
0005459984.tif 000004
【図４】
0005459984.tif 000005
【図５】
0005459984.tif 000006
【図６】
0005459984.tif 000007
【図７】
0005459984.tif 000008
【図８】
0005459984.tif 000009
【図９】
0005459984.tif 000010